(57)【要約】【課題】ガイドレールに対して斜め上方から収納ボックスを取り付ける場合の取付作業の作業性の低下を抑える。【解決手段】収納ボックス１０は、上方へ開放された箱状のボックス本体１６と、ボックス本体１６の幅方向の外側面２３に一体成形された左右１対のスライドレール１７とを備える。左右のスライドレール１７は、ボックス後板部１６ｃの後面２６よりも前方で左右のボックス側板部１６ｅに隣接する隣接部２９と、隣接部２９の後端から連続してボックス後板部１６ｃの後面２６よりも後方へ突出する突出後端部２７とを有する。収納ボックス１０をガイドレールに対して取り付けた状態で、左右のスライドレール１７は、ガイドレールのレール下板部に前後方向にスライド移動自在に下方から支持される。【選択図】図６
2020001604.tif 000002
【特許請求の範囲】
【請求項１】
車両の着座シートの下方の空間で前後方向に延びる左右１対のガイドレールに対して前後方向の一側から取り付けられ、前記ガイドレールのボックス支持面部にスライド移動自在に下方から支持される収納ボックスであって、
内部に収納物を収納するためのボックス本体と、
前記ボックス本体に対して固定的に設けられ、前記ボックス本体の左右の側面部よりも外側で前後方向に延びる左右１対のスライダ部と、を備え、
前記左右のスライダ部は、前記ボックス本体の前後方向の他側の端面よりも前記他側へ突出する突出他端部をそれぞれ有し、前記収納ボックスを前記ガイドレールに対して取り付けた状態で前記ガイドレールの前記ボックス支持面部にスライド移動自在に下方から支持される
ことを特徴とする収納ボックス。
【請求項２】
請求項１に記載の収納ボックスであって、
前記スライダ部の前記突出他端部は、前記スライダ部のうち前記突出他端部よりも前記一側の領域の下面に対して前記一側から前記他側の上方へ向かって傾斜する傾斜下面を有する
ことを特徴とする収納ボックス。
【発明の詳細な説明】
【技術分野】
【０００１】
本開示は、車両の着座シートの下方に設けられる収納ボックスに関する。
【背景技術】
【０００２】
特許文献１には、シートのシートクッションの下方の空間部に配置される物入れ容器が記載されている。シートクッションの下方には、物入れ容器を車両前後方向にスライド自在に保持するスライドホルダーが設けられる。スライドホルダーは、上面、下面および外側面により物入れ容器に対向する側が開放された断面コ字状に形成される。物入れ容器は、シートクッションの下側に形成される空間部に見合った大きさの矩形状容器として形成され、その車幅方向側面には上端からやや下がった位置に棚部が形成されている。物入れ容器の棚部は、スライドホルダーの開放側から上面と下面との間に相対移動自在に嵌合してある。
【先行技術文献】
【特許文献】
【０００３】
【特許文献１】特開２００６−３１５６２２号公報
【発明の概要】
【発明が解決しようとする課題】
【０００４】
特許文献１に記載のように物入れ容器（収納ボックス）をシートクッション（着座シート）の下方の空間部（以下、シート下空間という。）に配置する場合、シート下空間の前方の空間に収納ボックスを略水平な状態で配置し、スライドホルダー（ガイドレール）に対して収納ボックスを略水平な状態で前方から近付けて、収納ボックスの棚部（スライダ部）をガイドレールの上面と下面との間に挿入する。しかし、車両によってはシート下空間の前方の空間の前後幅が狭いため、収納ボックスの前部側を上方へ持ち上げ、収納ボックスを傾斜させた状態で収納ボックスの後部をガイドレールに対して前上方から近付け、収納ボックスのスライダ部をガイドレールに当接させた状態で収納ボックスの前部側を下方へ下げつつ、収納ボックスのスライダ部をガイドレールに挿入する場合がある。この場合、収納ボックスのスライダ部が収納ボックスの上端からやや下がった位置に形成されているので、収納ボックスをガイドレールに対して前上方から近付ける際に、スライダ部よりも上方に位置する収納ボックスの後上端部の角縁部等が着座シートの前下端部等に干渉してしまう可能性がある。このため、収納ボックスのスライダ部をガイドレールに挿入することが難しく、収納ボックスの取付作業の作業性が低下する可能性がある。
【０００５】
そこで、本開示は、ガイドレールに対して斜め上方から収納ボックスを取り付ける場合であっても収納ボックスの取付作業の作業性の低下を抑えることが可能な収納ボックスの提供を目的とする。
【課題を解決するための手段】
【０００６】
上記課題を解決するため、本発明の第１の態様は、車両の着座シートの下方の空間で前後方向に延びる左右１対のガイドレールに対して前後方向の一側から取り付けられ、ガイドレールのボックス支持面部にスライド移動自在に下方から支持される収納ボックスであって、ボックス本体と左右１対のスライダ部とを備える。ボックス本体は、内部に収納物を収納する。左右のスライダ部は、ボックス本体に対して固定的に設けられ、ボックス本体の左右の側面部よりも外側で前後方向に延びる。左右のスライダ部は、ボックス本体の前後方向の他側の端面よりも上記他側へ突出する突出他端部をそれぞれ有し、収納ボックスをガイドレールに対して取り付けた状態でガイドレールのボックス支持面部にスライド移動自在に下方から支持される。
【０００７】
上記構成では、収納ボックスをガイドレールに対して、例えば前側（前後方向の一側）から取り付ける場合には、収納ボックスの後側（前後方向の他側）の端部を、ガイドレールの前端部に近付ける。着座シートの前方の空間の前後方向の長さが狭い場合には、収納ボックスの前部側を上方へ持ち上げて収納ボックスを傾斜させた状態で、ボックス本体の後面から後方へ突出するスライダ部の突出他端部を、ガイドレールのボックス支持面部の前端部に対して前上方から斜め方向に近付け、スライダ部の突出他端部をボックス支持面部の上面に当接させる。そして、収納ボックスの前部側を下方へ移動させつつ、収納ボックスのスライダ部をガイドレールのボックス支持面部の上面に沿って後方へスライド移動させて、収納ボックスをガイドレールに対して取り付ける。
【０００８】
スライダ部の突出他端部がボックス本体の他側の端面よりも他側へ突出するので、収納ボックスの一側を上方へ持ち上げて収納ボックスを傾斜させた状態でガイドレールに近付ける際に、スライダ部の突出他端部を、他側へ突出する分だけ早期にガイドレールのボックス支持面部の上面に当接させることができる。このため、スライダ部よりも前方に位置するボックス本体の他側の上端の角縁部等が着座シートの下方の他の部材等に干渉する前に、スライダ部の突出他端部をガイドレールのボックス支持面部の上面に当接させることができるので、ガイドレールに対して斜め上方から収納ボックスを取り付ける場合の収納ボックスの取付作業の作業性の低下を抑えることができる。
【０００９】
本発明の第２の態様は、上記第１の態様の収納ボックスであって、スライダ部の突出他端部は、スライダ部のうち突出他端部よりも上記一側の領域の下面に対して上記一側から上記他側の上方へ向かって傾斜する傾斜下面を有する。
【００１０】
上記構成では、スライダ部の突出他端部は、スライダ部のうち突出他端部よりも一側の領域の下面に対して一側から他側の上方へ向かって傾斜する傾斜下面を有するので、収納ボックスの一側を上方へ持ち上げて傾斜させた際に、スライダ部の突出他端部のうちガイドレールに対して当接する部分を、傾斜下面を有さない場合に比べて、他側に配置することができる。このため、収納ボックスの一側を上方へ持ち上げてスライダ部の突出他端部をガイドレールのボックス支持面部の上面に当接させる際に、スライダ部の突出他端部の先端（他端）がガイドレールのボックス支持面部の先端（一端）に対して引っ掛かり易くなるので、ガイドレールに対して斜め上方から収納ボックスを取り付ける場合の収納ボックスの取付作業の作業性の低下を抑えることができる。
【００１１】
また、スライダ部の突出他端部は、スライダ部のうち突出他端部よりも一側の領域の下面に対して一側から他側の上方へ向かって傾斜する傾斜下面を有するので、スライダ部の突出他端部をガイドレールのボックス支持面部の上面に当接させた際のボックス支持面部の上面に対するスライダ部の下面の角度を、傾斜下面を有さない場合に比べて小さくすることができる。このため、スライダ部の突出他端部をガイドレールのボックス支持面部の上面に当接させた際に、スライダ部がガイドレールのボックス支持面部の上面に沿って他側へ移動し易くなるので、ガイドレールに対して斜め上方から収納ボックスを取り付ける場合の収納ボックスの取付作業の作業性の低下を抑えることができる。
【発明の効果】
【００１２】
本開示によれば、ガイドレールに対して斜め上方から収納ボックスを取り付ける場合であっても収納ボックスの取付作業の作業性の低下を抑えることができる。
【図面の簡単な説明】
【００１３】
【図１】本発明の一実施形態に係る収納ボックスを取り付けた状態の車両の着座シートの概略側面図である。
【図２】図１の収納ボックスを取り付ける際の着座シートの概略側面図である。
【図３】着座シートの下方のケースの開口部の斜視図である。
【図４】図３のケースのガイドレールに収納ボックスのスライドレールの突出後端部を当接させた状態の斜視図である。
【図５】収納ボックスの後端部の平面図である。
【図６】収納ボックスの後端部の側面図である。
【図７】収納ボックスの後端部の斜視図である。
【図８】図５のVIII−VIII矢視断面図である。
【図９】ガイドレールに収納ボックスのスライドレールの突出後端部を当接させた状態の概略説明図である。
【図１０】他の実施形態に係る収納ボックスの後端部の概略側面図である。
【発明を実施するための形態】
【００１４】
以下、本発明の一実施形態を図面に基づいて説明する。なお、各図において、ＦＲは車両の前方を、ＵＰは上方を、ＩＮは車幅方向内側をそれぞれ示す。また、以下の説明において、前後方向は車両の前後方向を意味し、左右方向は車両前方を向いた状態での左右方向を意味する。
【００１５】
図１及び図２に示すように、本実施形態に係る収納ボックス１０は、車両１の乗員が着座する着座シート２の下方の空間３に配置される。着座シート２の前方には、インストルメントパネルやダッシュパネル等の前部パネル４が起立しており、着座シート２と前部パネル４との間には、乗員が着座シート２に着座した際に脚を配置可能なシート前空間５が設けられる。シート前空間５は前後方向の長さが比較的短い（狭い）ため、着座シート２の下方の空間３に収納ボックス１０を配置する際には、収納ボックス１０の後側（他側）を下方にした状態（前側（一側）を上方へ持ち上げた状態）でシート前空間５に対して上方から挿入し、収納ボックス１０を傾斜させた状態で（図２参照）、収納ボックス１０の後部を着座シート２の下方の後述するガイドレール１１に対して前上方から近付ける。そして、収納ボックス１０の後部をガイドレール１１に当接させた後、収納ボックス１０の前部側を下方へ下げつつ、収納ボックス１０を着座シート２の下方の空間３に挿入する。
【００１６】
図２及び図３に示すように、着座シート２の下方の空間３には、収納ボックス１０を挿入可能なケース１２が配置される。ケース１２は、前後方向に貫通する矩形筒状に形成され、内部にケース内空間１３を区画し、フロアパネル６に対して固定される。ケース内空間１３の上方を区画するケース１２のケース上板部１２ａの前端縁部には、ケース上板部１２ａの前端縁に沿って車幅方向に延びて下方へ突出する突出板部１４が設けられる。ケース１２の車幅方向両側で起立する左右のケース側板部１２ｂ，１２ｃは、ケース内空間１３の車幅方向両側を区画し、ケース側板部１２ｂ，１２ｃの互いに対向する内側面には左右１対のガイドレール１１が固定される。
【００１７】
左右のガイドレール１１は、レール縦板部１１ａとレール上板部１１ｂ（図９参照）とレール下板部（ボックス支持面部）１１ｃとによってケース１２の幅方向（ケース１２における車幅方向に沿った方向）の内側へ開放する断面Ｕ状に形成され、ケース側板部１２ｂ，１２ｃの上端縁から下方へ離間した位置に固定され、略水平の状態で前後方向に直線状に延びる。ガイドレール１１の前端は、ケース１２のケース側板部１２ｂ，１２ｃの前端よりも僅かに後方に位置する。レール縦板部１１ａは、ケース側板部１２ｂ，１２ｃの互いに対向する内側面に沿って前後方向に直線状に延び、ケース側板部１２ｂ，１２ｃに対して固定される。レール上板部１１ｂは、レール縦板部１１ａの上端縁からケース１２の幅方向内側へ曲折して上下方向と交叉し、前後方向に直線状に延びる。レール下板部１１ｃは、レール縦板部１１ａの下端縁からケース１２の幅方向内側へ曲折して上下方向と交叉し、レール上板部１１ｂから下方へ離間した位置でレール上板部１１ｂに対向した状態で前後方向に延びる。レール下板部１１ｃの前端部１５は、後方から前下方へ向かって傾斜する。レール下板部１１ｃは、ケース上板部１２ａの突出板部１４の下端縁よりも下方に配置される。
【００１８】
図４〜図８に示すように、収納ボックス１０は、上方へ開放された箱状のボックス本体１６と、ボックス本体１６の幅方向（ボックス本体１６における車幅方向に沿った方向）の外側面２３に一体成形された左右１対のスライドレール（スライダ部）１７とを備える。すなわち、左右のスライドレール１７は、ボックス本体１６に対して固定的に設けられる。
【００１９】
ボックス本体１６は、ボックス底板部１６ａ、ボックス前板部１６ｂ、ボックス後板部１６ｃ、及び左右のボックス側板部（左右の側面部）１６ｄ，１６ｅによって形成され、収納物を収納するための収納空間１８を区画する。左右のボックス側板部１６ｄ，１６ｅの上端縁１９は、ボックス後板部１６ｃの上端縁２０よりも上方に配置される。左右のボックス側板部１６ｄ，１６ｅのうちボックス後板部１６ｃの上端縁２０よりも上方に位置する上部領域２１の後端２２は、ボックス後板部１６ｃの上端縁２０よりも僅かに前方に配置される。左右のボックス側板部１６ｄ，１６ｅの上部領域２１の後端部の上端縁１９ａは、前方から後下方へ向かって傾斜して上部領域２１の後端２２へ連続する。
【００２０】
左右のスライドレール１７は、左右のボックス側板部１６ｄ，１６ｅの外側面２３からボックス本体１６の幅方向外側へ突出する板状のスライダ横板部２４と、スライダ横板部２４の外端縁に沿って上方へ起立するスライダ縦板部２５とによって構成される。スライダ横板部２４は、ボックス後板部１６ｃの上端縁２０と略同じ高さ位置に配置され、上下方向と交叉した状態で左右のボックス側板部１６ｄ，１６ｅの外側面２３に沿って前後方向に長尺に延びる。スライダ縦板部２５は、ボックス本体１６の幅方向と交叉した状態でスライダ横板部２４の外端縁に沿って前後方向に長尺に延びる。スライダ縦板部２５の上端縁２８は、左右のボックス側板部１６ｄ，１６ｅの上端縁１９よりも僅かに下方に配置される。すなわち、左右のスライドレール１７は、左右のボックス側板部１６ｄ，１６ｅの上端縁１９よりも下方に配置される。
【００２１】
左右のスライドレール１７は、ボックス後板部１６ｃの後面（ボックス本体の他側の端面）２６よりも前方で左右のボックス側板部１６ｄ，１６ｅに隣接する隣接部２９と、隣接部２９の後端から連続してボックス後板部１６ｃの後面２６よりも後方へ突出する突出後端部（突出他端部）２７とを有する。隣接部２９のスライダ横板部２４は、略水平に前後方向に長尺に延びる。突出後端部２７のスライダ横板部２４は、隣接部２９側から連続して略水平に延びる水平領域３１と、水平領域３１の後端から後上方へ水平領域３１に対して傾斜して延びる傾斜領域３２とを有する。突出後端部２７のスライダ横板部２４の幅方向の内端は、隣接部２９のスライダ横板部２４の幅方向の内端よりも幅方向内側に配置される。すなわち、突出後端部２７のスライダ横板部２４の幅方向の長さは、隣接部２９のスライダ横板部２４の幅よりも内側へ長く、ガイドレール１１のレール下板部１１ｃの幅と略同じ長さに形成される。隣接部２９のスライダ横板部２４及び突出後端部２７のスライダ横板部２４の水平領域３１の下面３０は、略水平に前後方向に長尺に延び、突出後端部２７のスライダ横板部２４の傾斜領域３２の下面（傾斜下面）３３は、隣接部２９のスライダ横板部２４及び突出後端部２７のスライダ横板部２４の水平領域３１の下面３０に対して前方から後上方へ向かって傾斜している。突出後端部２７のスライダ縦板部２５は、スライダ横板部２４の水平領域３１及び傾斜領域３２の外端縁に沿って起立する。突出後端部２７のスライダ縦板部２５の上端縁は、隣接部２９から連続して突出後端部２７の前後に亘って直線状に延びる。突出後端部２７のスライダ縦板部２５の後端の幅方向外側の角部は、切り欠かれて面取りされている。
【００２２】
次に、収納ボックス１０を着座シート２の下方の空間３のガイドレール１１に対して取り付ける取付作業について、図面に基づいて説明する。なお、図９では、分かり易くするために、ケース１２の右側のケース側板部１２ｃの図示を省略している。
【００２３】
図２、図４、及び図９に示すように、収納ボックス１０をガイドレール１１に対して取り付ける際には、先ず、収納ボックス１０の後端側を下方にした状態でシート前空間５に対して上方から挿入し、収納ボックス１０の左右のスライドレール１７の突出後端部２７を左右のガイドレール１１のレール下板部１１ｃの前端部１５へ近付ける（図２及び図４参照）。このとき、収納ボックス１０は、図２に示すように、前端側が上方へ持ち上げられて（後端側が下方へ下げられて）傾斜した状態となる。次に、図４及び図９に示すように、収納ボックス１０の左右のスライドレール１７の突出後端部２７を左右のガイドレール１１のレール下板部１１ｃの前端部１５の上面３４に当接させる。最後に、収納ボックス１０の前部側を下方へ下げつつ、収納ボックス１０の左右のスライドレール１７を左右のガイドレール１１のレール下板部１１ｃの上面に沿って後方へスライド移動させて、収納ボックス１０を着座シート２の下方の空間３に挿入する（図１参照）。収納ボックス１０をガイドレール１１に対して取り付けた状態で、左右のスライドレール１７は、ガイドレール１１のレール下板部１１ｃに前後方向にスライド移動自在に下方から支持される。
【００２４】
上記のように構成された収納ボックス１０では、スライドレール１７の突出後端部２７がボックス本体１６の後面２６よりも後方へ突出するので、収納ボックス１０の前側を上方へ持ち上げて収納ボックス１０を傾斜させた状態でガイドレール１１に近付ける際に、スライドレール１７の突出後端部２７が後方へ突出する分だけ、突出後端部２７を早期にガイドレール１１のレール下板部１１ｃの前端部１５の上面３４に当接させることができる。このため、スライドレール１７よりも前方に位置するボックス本体１６の後上端の角縁部等が着座シート２の下方の他の部材等に干渉する前に、スライドレール１７の突出後端部２７をガイドレール１１のレール下板部１１ｃの前端部１５の上面３４に当接させることができるので、ガイドレール１１に対して斜め上方から収納ボックス１０を取り付ける場合の収納ボックス１０の取付作業の作業性の低下を抑えることができる。
【００２５】
また、スライドレール１７の突出後端部２７の傾斜領域３２の下面３３は、傾斜領域３２よりも前方のスライドレール１７の下面３０に対して前方から後上方へ向かって傾斜している。このため、収納ボックス１０の前側を上方へ持ち上げて傾斜させた際に、スライドレール１７の突出後端部２７のうちガイドレール１１のレール下板部１１ｃの上面３４に当接させる部分を、傾斜領域３２を有さない場合（図９に二点鎖線で示す場合）に比べて後方に配置することができる。従って、収納ボックス１０を傾斜させた状態でスライドレール１７の突出後端部２７をガイドレール１１のレール下板部１１ｃの上面３４に当接させる際に、スライドレール１７の突出後端部２７がガイドレール１１のレール下板部１１ｃの先端（前端）に対して引っ掛かり易くなるので、ガイドレール１１に対して斜め上方から収納ボックス１０を取り付ける場合の収納ボックス１０の取付作業の作業性の低下を抑えることができる。
【００２６】
また、スライドレール１７の突出後端部２７の傾斜領域３２の下面３３は、傾斜領域３２よりも前方のスライドレール１７の下面３０に対して前方から後上方へ向かって傾斜しているので、スライドレール１７の突出後端部２７をガイドレール１１のレール下板部１１ｃの上面３４に当接させた際のレール下板部１１ｃの上面３４に対するスライドレール１７の下面３３の角度を、傾斜領域３２を有さない場合（図９に二点鎖線で示す場合）に比べて小さくすることができる。このため、スライドレール１７の突出後端部２７をガイドレール１１のレール下板部１１ｃの上面３４に当接させた際に、スライドレール１７がレール下板部１１ｃの上面３４に沿って後方へ移動し易いので、ガイドレール１１に対して斜め上方から収納ボックス１０を取り付ける場合の収納ボックス１０の取付作業の作業性の低下を抑えることができる。
【００２７】
また、スライドレール１７の突出後端部２７の傾斜領域３２の下面３３は、傾斜領域３２よりも前方のスライドレール１７の下面３０に対して前方から後上方へ向かって傾斜しているので、スライドレール１７の突出後端部２７をガイドレール１１のレール下板部１１ｃの上面３４に当接させた状態で、収納ボックス１０の前側を上下に移動させると、スライドレール１７の傾斜領域３２の下面３３がガイドレール１１のレール下板部１１ｃの上面３４に面接触したり、レール下板部１１ｃの上面３４から離間したりする。このため、ガイドレール１１の前端がケース１２の前端よりも後方に配置されてガイドレール１１の視認性が悪い場合であっても、斜め上方からの収納ボックス１０の取付作業時に、スライドレール１７の突出後端部２７がレール下板部１１ｃの上面３４に当接しているか否かを、作業者の手の感覚によって確認することができる。従って、ガイドレール１１に対して斜め上方から収納ボックス１０を取り付ける場合の収納ボックス１０の取付作業の作業性の低下を抑えることができる。
【００２８】
また、スライドレール１７の突出後端部２７がボックス本体１６の後面２６よりも後方へ突出し、且つボックス本体１６の左右のボックス側板部１６ｄ，１６ｅの上部領域２１の後端２２がボックス後板部１６ｃの上端縁２０よりも僅かに前方に配置される。このため、収納ボックス１０の側面視において、突出後端部２７の上方、且つ左右のボックス側板部１６ｄ，１６ｅの上部領域２１の前方に、空間が区画され、収納ボックス１０の後上端部が切り欠かれた状態となっている。従って、ガイドレール１１に対して斜め上方から収納ボックス１０を取り付ける際に、着座シート２の下方の他の部材等へのボックス本体１６の後上端の角縁部等の干渉を抑えることができ、収納ボックス１０の取付作業の作業性の低下を抑えることができる。
【００２９】
また、ボックス本体１６の左右のボックス側板部１６ｄ，１６ｅの上部領域２１の後端部の上端縁１９ａが、前方から後下方へ向かって傾斜している。このため、ガイドレール１１に対して斜め上方から収納ボックス１０を取り付ける際に、着座シート２の下方の他の部材等への左右のボックス側板部１６ｄ，１６ｅの上部領域２１の干渉を抑えることができ、収納ボックス１０の取付作業の作業性の低下を抑えることができる。
【００３０】
また、左右のスライドレール１７は、ボックス本体１６の左右のボックス側板部１６ｄ，１６ｅの上端縁１９よりも下方に配置される。すなわち、ボックス本体１６の左右のボックス側板部１６ｄ，１６ｅは、左右のスライドレール１７よりも上方に位置する上部領域２１を有するので、その分だけボックス本体１６の容量を確保することができる。
【００３１】
なお、本実施形態では、着座シート２の下方の空間３にケース１２を設け、ケース１２に対して左右のガイドレール１１を固定したが、ケース１２を設けることなく、左右のガイドレール１１を着座シート２の支持脚等に固定してもよい。
【００３２】
また、本実施形態では、断面Ｕ状のガイドレール１１を設けたが、ガイドレール１１の形状はこれに限定されるものではなく、少なくともレール下板部（ボックス支持面部）１１ｃを有していれば他の形状であってもよい。
【００３３】
また、本実施形態では、ガイドレール１１のレール下板部１１ｃの前端部１５を、後方から前下方へ向かって傾斜させたが、前後に亘って略水平のレール下板部１１ｃであってもよい。
【００３４】
また、本実施形態では、収納ボックス１０のボックス本体１６を、上方へ開放された形状としたが、ボックス本体１６の形状はこれに限定されるものではなく、内部に収納物を収納可能であれば他の形状であってもよい。
【００３５】
また、本実施形態では、収納ボックス１０の左右のスライドレール１７をボックス本体１６の外側面２３に一体成形したが、これに限定されるものではなく、例えば、ボックス本体１６と別体に成形した左右のスライドレール１７をボックス本体１６の外側面２３に固定してもよい。
【００３６】
また、本実施形態では、左右のスライドレール１７を、ボックス本体１６の左右のボックス側板部１６ｄ，１６ｅの上端縁１９よりも下方に配置したが、これに限定されるものではなく、左右のスライドレール１７のスライダ横板部２４をボックス本体１６の左右のボックス側板部１６ｄ，１６ｅの上端縁部に沿う高さ位置に設けてもよい。
【００３７】
また、本実施形態では、収納ボックス１０のスライドレール１７の突出後端部２７のスライダ縦板部２５の上端縁を、隣接部２９から連続して突出後端部２７の前後に亘って直線状に延ばすことによって、側面視においてスライドレール１７の突出後端部２７が前後方向に直線状に延びる形状としたが、突出後端部２７の形状はこれに限定されるものではない。例えば、図１０に示すように、スライドレール１７の突出後端部２７の後端部を隣接部２９に対して全体的に後上方へ傾斜する形状としてもよい。この場合であっても、突出後端部２７の後端部の下面３３は、隣接部２９の下面３０に対して前方から後上方へ向かって傾斜する。
【００３８】
また、本実施形態では、スライドレール１７の突出後端部２７のスライダ横板部２４に傾斜領域３２を設け、突出後端部２７の後端部に前方から後上方へ向かって傾斜する下面３３を設けたが、突出後端部２７のスライダ横板部２４に傾斜領域３２を設けることなく、突出後端部２７のスライダ横板部２４の全域を水平領域３１としてもよい。この場合であっても、スライドレール１７の突出後端部２７がボックス本体１６の後面２６よりも後方へ突出するので、上述したようにガイドレール１１に対して斜め上方から収納ボックス１０を取り付ける場合の収納ボックス１０の取付作業の作業性の低下を抑えることができる。
【００３９】
以上、本発明について、上記実施形態に基づいて説明を行ったが、本発明は上記実施形態の内容に限定されるものではなく、当然に本発明を逸脱しない範囲で適宜変更が可能である。すなわち、この実施形態に基づいて当業者等によりなされる他の実施形態、実施例および運用技術等は全て本発明の範疇に含まれることは勿論である。
【００４０】
例えば、上記実施形態では、本開示に係る収納ボックスを、着座シート２の下方のガイドレール１１に対して前方から取り付ける収納ボックス１０に適用したが、ガイドレール１１に対して後方（一側）から前方（他側）へ挿入して取り付ける収納ボックスに適用してもよい。
【００４１】
また、上記実施形態では、収納ボックス１０をガイドレール１１に対して斜め上方から取り付けたが、例えば、シート前空間５が前後方向に広い場合等には、収納ボックス１０をガイドレール１１に対して傾斜させることなく、シート前空間５で水平にした状態でガイドレール１１に対して取り付けてもよい。
【産業上の利用可能性】
【００４２】
本開示に係る収納ボックスは、着座シートの下方に収納ボックスを有する車両に広く適用することができる。
【符号の説明】
【００４３】
１：車両
２：着座シート
３：空間
１０：収納ボックス
１１：左右１対のガイドレール
１１ｃ：レール下板部（ボックス支持面部）
１６：ボックス本体
１６ｃ：ボックス後板部
１６ｄ，１６ｅ：左右のボックス側板部（左右の側面部）
１７：スライドレール（スライダ部）
１９：左右のボックス側板部の上端縁（左右の側面部の上端縁）
２６：ボックス後板部の後面（ボックス本体の他側の端面）
２７：突出後端部（突出他端部）
３２：突出後端部の傾斜領域
３３：突出後端部の傾斜領域の下面（傾斜下面）
【図１】
2020001604.tif 000003
【図２】
2020001604.tif 000004
【図３】
2020001604.tif 000005
【図４】
2020001604.tif 000006
【図５】
2020001604.tif 000007
【図６】
2020001604.tif 000008
【図７】
2020001604.tif 000009
【図８】
2020001604.tif 000010
【図９】
2020001604.tif 000011
【図１０】
2020001604.tif 000012